(57)【要約】【課題】自動焼き物調理において、表裏を焼くメニューは裏返すタイミングによって出来映えが異なるため、シーケンスを決定することが困難であった。【解決手段】報知手段１２、表示部１３、制御手段１１、延長実行手段１４、制限時間設定手段１５を備え、使用者に裏返すタイミングを知らせると共に、たとえどのようなタイミングで裏返されたとしても、失敗しないよう制御しつつ調理を行う。【選択図】図６
2007103288.tif 000002
【特許請求の範囲】
【請求項１】
表と裏を両方焼く必要がある自動焼き物調理メニューのシーケンスを組み込んだＩＣタグが内蔵されたレシピカードと、調理開始から終了までの底面の温度を検知する温度検知素子及び温度情報を発信する発信機を組み込んだＩＣタグを内蔵する調理容器から、前記自動調理メニューのシーケンスと前記温度情報を受信する受信部を有し、且つ前記調理容器を戴置するトッププレートと、調理開始から時間をカウントする時間測定手段と、前記調理容器を加熱する加熱コイルと、前記加熱コイルに高周波電流を供給する高周波電源部と、自動調理を選択する選択手段と、前記レシピカードにより選択された調理メニューに対応して前記加熱コイルによる加熱出力の制御を行う制御手段と、表の調理終了後、裏返すタイミングを知らせる報知手段を有する誘導加熱調理器。
【請求項２】
表と裏を両方焼く必要がある自動焼き物調理メニューにおいて、表の調理終了後、裏返すタイミングを知らせる表示部を有する請求項１に記載の誘導加熱調理器。
【請求項３】
表と裏を両方焼く必要がある自動焼き物調理メニューにおいて、表の調理終了後、裏返しが行われ、裏の調理が始まるまでの間電力をＯＦＦする請求項２に記載の誘導加熱調理器。
【請求項４】
表と裏を両方焼く必要がある自動焼き物調理メニューにおいて、表の調理終了後、裏返しが行われ、裏の調理が始まるまでの間電力を調節し、温度調節を行う請求項３に記載の誘導加熱調理器。
【請求項５】
表と裏を両方焼く必要がある自動焼き物調理メニューにおいて、表の調理終了後、使用者の望むタイミングで裏返し、裏の調理を再開する調理再開手段を有する請求項４に記載の誘導加熱調理器。
【請求項６】
表と裏を両方焼く必要がある自動焼き物調理メニューにおいて、表の調理終了後、裏返し操作が行われ、裏の調理が再開された時点で全調理が終了するまでのカウントダウンを行う請求項５に記載の誘導加熱調理器。
【請求項７】
表と裏を両方焼く必要がある自動焼き物調理メニューにおいて、表の調理終了後、裏返し操作が行われ、裏の調理が再開されるまでの制限時間を定め、その時間経過後も調理が再開されない場合、自動調理を中止する請求項６に記載の誘導加熱調理器。
【請求項８】
表と裏を両方焼く必要がある自動焼き物調理メニューにおいて、表の調理終了後、裏返し操作が行われ、裏の調理が再開されるまでの制限時間を使用者が延長する実行手段を有する請求項７記載の誘導加熱調理器。
【請求項９】
表と裏を両方焼く必要がある自動焼き物調理メニューにおいて、表の調理終了後、裏返し操作が行われ、裏の調理が再開されるまでの制限時間を使用者が設定する設定手段を有する請求項８記載の誘導加熱調理器。
【発明の詳細な説明】
【技術分野】
【０００１】
本発明は調理容器の温度を検知しながら加熱手段の出力を制御する誘導加熱調理器に関するものである。
【背景技術】
【０００２】
従来、この種の加熱調理器として誘導加熱調理器があり、調理容器底面に温度検知素子を取付けた調理容器から温度情報を読み取り、誘導加熱調理器の出力を制御しようとしていた（例えば、特許文献１参照）。また、ＩＣタグから調理条件情報と検出温度情報を取得して加熱制御を行っていた（例えば、特許文献２参照）。
【特許文献１】米国特許第６，３２０，１６９号明細書
【特許文献２】特開２００４−１３８３３１号公報
【発明の開示】
【発明が解決しようとする課題】
【０００３】
しかしながら、前記従来の構成では、表と裏の両方を焼く必要がある焼き物調理においては、裏返すタイミングにより、出来映えが異なるので自動調理シーケンスを作ることが困難であるという課題を有していた。
【０００４】
本発明は、前記従来の課題を解決するもので、表と裏を両方焼く焼き物調理を自動で行い、表面の調理が終了した時、使用者に裏返すタイミングを知らせることを目的とする。また、使用者が裏返すタイミングをずらしてしまった場合でも、裏返すまでの待ち時間の間の加熱電力を制御し、焦げ過ぎることなく調理が終了することを目的とする。さらに、裏返すまでの時間が一定時間経過した後は、自動で電源をＯＦＦし、安全性を確保することも目的とする。
【課題を解決するための手段】
【０００５】
前記従来の課題を解決するために、本発明の誘導加熱調理器は、メニュー毎に理想の加熱を行うシーケンスを組み込んだレシピカードと底面の温度情報を発信する発信機を組み込んだ調理容器から、焼き物自動調理メニューのシーケンスと前記温度情報を受信部により受信し、加熱制御を行い、表の調理終了後、ひっくり返すタイミングを知らせる報知手段及び表示手段を有する誘導加熱調理器としたものである。
【０００６】
これによって、使用者は表と裏を両方焼く必要があるメニューでも、タイミングを逃すことなく裏返すことができるようになり、一定の出来映えを確保することが可能となる。
【０００７】
また、本発明の誘導加熱調理器は、焼き物自動調理を行い、表の調理終了後、使用者によりひっくり返し操作が行われるまで、電力をＯＦＦあるいは所定温度で維持する温度調節を行う誘導加熱調理器としたものである。
【０００８】
これによって、使用者がひっくり返すタイミングがずれた場合でも、焦げるといった失敗をすることなく、調理を行うことができるようになる。
【０００９】
また、本発明の誘導加熱調理器は、使用者が延長実行手段及び制限時間設定手段を有する誘導加熱調理器としたものであり、これによって、使用者は自動焼き物調理に不満を抱くことがなくなる。
【発明の効果】
【００１０】
本発明の誘導加熱調理器は、両面を焼く必要がある焼き物自動調理において、使用者に裏返すタイミングを知らせ、たとえ使用者が裏返すタイミングをずらしてしまっても焦げないよう制御することで、失敗なく調理を行うことができる。
【発明を実施するための最良の形態】
【００１１】
第１の発明は、表と裏を両方焼く必要がある自動焼き物調理メニューのシーケンスを組み込んだＩＣタグが内蔵されたレシピカードと、調理開始から終了までの底面の温度を検知する温度検知素子及び温度情報を発信する発信機を組み込んだＩＣタグを内蔵する調理容器から、前記自動調理メニューのシーケンスと前記温度情報を受信する受信部を有し、且つ前記調理容器を戴置するトッププレートと、調理開始から時間をカウントする時間測定手段と、前記調理容器を加熱する加熱コイルと、前記加熱コイルに高周波電流を供給する高周波電源部と、自動調理を選択する選択手段と、前記レシピカードにより選択された調理メニューに対応して前記加熱コイルによる加熱出力の制御を行う制御手段と、表の調理終了後、裏返すタイミングを知らせる報知手段を有する誘導加熱調理器とすることにより、使用者は表の調理中に前記誘導加熱調理器から離れていたとしても、表の調理終了後の報知により、裏返すタイミングを知ることができる。
【００１２】
第２の発明は、表と裏を両方焼く必要がある自動焼き物調理メニューにおいて、表の調理終了後、裏返すタイミングを知らせる表示部を有する請求項１に記載の誘導加熱調理器とすることにより、使用者は表の調理中に前記誘導加熱調理器から離れていたとしても、表の調理終了後、表示により、裏返すタイミングを知ることができる。
【００１３】
第３の発明は、表と裏を両方焼く必要がある自動焼き物調理メニューにおいて、表の調理終了後、裏返しが行われ裏の調理が始まるまでの間、電力をＯＦＦする請求項３に記載の誘導加熱調理器とすることにより、使用者が裏返すタイミングをずらした場合でも、焦げることなく自動調理を行うことができる。
【００１４】
第４の発明は、表と裏を両方焼く必要がある自動焼き物調理メニューにおいて、表の調理終了後、裏返しが行われ、裏の調理が始まるまでの間電力を調節し、温度調節を行う請求項４に記載の誘導加熱調理器とすることにより、使用者が裏返すタイミングをずらした場合でも、焦げることなく且つ調理物の温度が下がることなく自動調理を行うことができる。
【００１５】
第５の発明は、表と裏を両方焼く必要がある自動焼き物調理メニューにおいて、表の調理終了後、使用者の望むタイミングで裏返し、裏の調理を再開する調理再開手段を有する請求項５に記載の誘導加熱調理器とすることにより、使用者は好きなタイミングで裏返し操作を行い、裏の調理を再開することができる。
【００１６】
第６の発明は、表と裏を両方焼く必要がある自動焼き物調理メニューにおいて、表の調理終了後、裏返し操作が行われ、裏の調理が再開された時点から全調理が終了するまでのカウントダウンを行う請求項６に記載の誘導加熱調理器とすることにより、使用者は調理終了までの時間を知ることができ、その間の時間を有効に使用することができるようになる。
【００１７】
第７の発明は、表と裏を両方焼く必要がある自動焼き物調理メニューにおいて、表の調理終了後、裏返し操作が行われ、裏の調理が再開されるまでの制限時間を定め、その時間経過後も調理が再開されない場合、自動調理を中止する請求項７に記載の誘導加熱調理器とすることにより、使用者が完全に調理していることを忘れた場合に安全に自動調理を終了することができる。
【００１８】
第８の発明は、表と裏を両方焼く必要がある自動焼き物調理メニューにおいて、表の調理終了後、裏返し操作が行われ、裏の調理が再開されるまでの制限時間を使用者が延長する実行手段を有する請求項８記載の誘導加熱調理器とすることにより、使用者が例えば裏返す際に手間取ったりした場合でも、延長実行手段により延長を行うことによって、余裕を持って裏返し、裏の調理を開始することができるようになる。
【００１９】
第９の発明は、表と裏を両方焼く必要がある自動焼き物調理メニューにおいて、表の調理終了後、裏返し操作が行われ、裏の調理が再開されるまでの制限時間を使用者が前もって設定する設定手段を有する請求項９記載の誘導加熱調理器とすることにより、使用者は自らの好みで自由に制限時間を変更することが可能になる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の模式図である。
【００２２】
図１において、１は自動調理を行うシーケンスが組み込まれたＩＣタグが内蔵されているレシピカード、２は調理容器、３は調理容器の底面の温度を検知する温度検知素子、４は前記温度検知素子３の温度情報を発信する発信部、５は前記温度検知素子３と前記発信機４の情報を受信する受信部、６はトッププレート、７は調理開始から終了までの時間を測定する時間測定手段、８は加熱を行う加熱コイル、９は前記加熱コイル８に高周波電流を供給する高周波電源部、１０は自動調理を選択する選択手段、１１は加熱出力の制御を行う制御手段、１２は工程終了後報知を行う報知手段、１３は自動調理中の状態を表示する表示部である。
【００２３】
以上のように構成された加熱調理器について、以下、ハンバーグの調理を例にその動作、作用を説明する。
【００２４】
まず、使用者により、選択手段１０から自動調理が選択され、ハンバーグのレシピカード１が受信部５にかざされると、制御手段１１にシーケンスが伝えられる。そして使用者が食材が収容された調理容器２をトッププレート６に載置し、調理をスタートさせると、調理容器２に内蔵された温度検知素子３の温度情報が発信部４により受信部５に発信され、時間測定手段７の情報と共に制御手段１１に伝えられ、高周波電源部９から加熱コイル８へ出力を制御する。そして、表の調理終了後報知手段１２により、報知が行われた後、使用者により食材が裏返され、裏の調理が進行する。
【００２５】
また、表示部１３のみ、あるいは、報知手段１２と表示部１３の組み合わせで、裏返すタイミングを使用者に知らせることも可能である。尚、報知手段１２はブザー、音声等を指す。
【００２６】
以上のように、本実施の形態においては、使用者は報知が行われるまで傍にいる必要がなく、報知が行われた時に裏返し操作を行うだけで、自動焼き物調理を失敗することなく行うことができる。
【００２７】
尚、前記報知手段１２、表示部１３により、調理開始時の予熱完了後の報知も行うことが可能であり、予熱後に食材を投入することによって、出来映えを向上させることができる。
【００２８】
また、この報知手段１２、表示部１３を用いることによって、ハンバーグだけでなくホットケーキ等両面を加熱する必要がある他の調理も自動で行うことが可能となる。
【００２９】
（実施の形態２）
以下、実施の形態２について、図面１と２を参照しながら説明する。
【００３０】
尚、図１については本実施の形態の基本構成は実施の形態１と同じであり、実施の形態１と同じ機能には同じ符号を付しその説明は省略する。
【００３１】
図２は本実施の形態におけるハンバーグの自動調理のプロセス図である。この加熱パターンはレシピカード１に組み込まれているシーケンスに、表の調理が終了後、使用者によって裏返し操作が行われるまでの待ち時間の間、電力をＯＦＦする工程を持たせる構成としている。
【００３２】
以上のように構成された加熱調理器について、以下ハンバーグを例にその動作を説明する。
【００３３】
実施の形態１と同様、レシピカード１によりメニュー（ハンバーグ）が選択され、選択手段１０により自動調理が選択、開始されると、第一工程の予熱、第二工程の表面調理終了後、報知手段１２、表示部１３により使用者に裏返すタイミングが知らされる。それにより、使用者が例えば２分経過後裏返しを終了した場合、その２分の間は完全に電力がＯＦＦされる。
【００３４】
以上のように、本実施の形態では、使用者が裏返すタイミングが遅れた場合でもその間は電力をＯＦＦしているので、片面だけが焦げ過ぎることがなく、常に良好な出来映えのハンバーグを得ることができる。
【００３５】
（実施の形態３）
以下、実施の形態３について、図面１と３を参照しながら説明する。
【００３６】
なお、図１については本実施の形態の基本構成は実施の形態１と同じであり、実施の形態１と同じ機能には同じ符号を付しその説明は省略する。
【００３７】
図３は本実施の形態におけるハンバーグの自動調理のプロセス図である。この加熱パターンはレシピカード１に組み込まれているシーケンスに、表の調理終了後、裏返しが行われ、裏の調理が始まるまでの間電力を調節し、温度調節を行う工程を持たせる構成としている。
【００３８】
実施の形態２と同様、レシピカード１によりメニュー（ハンバーグ）が選択され、選択手段１０により自動調理が選択、開始されると、第一工程の予熱、第二工程の表面調理終了後、報知手段１２、表示部１３により使用者に裏返すタイミングが知らされる。それにより、使用者が例えば５分経過後裏返しを終了した場合、その５分の間は低い電力が供給され、９０℃で温度調節が行われる。
【００３９】
以上のように、本実施の形態では、使用者が裏返すタイミングが遅れた場合でもその間は温度調節を行い、焦げさせずに食材温度を保つことで良好な出来映えのハンバーグを得ることができる。
【００４０】
また、実施の形態２の電力を完全にＯＦＦするプロセスと組み合わせることも可能である。
【００４１】
（実施の形態４）
以下、実施の形態４について、図面１と４を参照しながら説明する。
【００４２】
尚、図１については本実施の形態の基本構成は実施の形態１と同じであり、実施の形態１と同じ機能には同じ符号を付しその説明は省略する。
【００４３】
図４は本実施の形態におけるハンバーグの自動調理のプロセス図である。この加熱パターンはレシピカード１に組み込まれているシーケンスに、表の調理終了後、使用者の望むタイミングで裏返し、裏の調理を再開する工程を持たせる構成としている。
【００４４】
実施の形態３と同様、レシピカード１によりメニュー（ハンバーグ）が選択され、選択手段１０により自動調理が選択、開始されると、第一工程の予熱、第二工程の表面調理終了後、報知手段１２、表示部１３により使用者に裏返すタイミングが知らされる。その後、使用者が例えば８分経過後裏返しを行った場合、裏返したことで温度検知素子３により温度が低下したことが検知され、裏調理が進行される。
【００４５】
以上のように、本実施の形態では、使用者がどのタイミングで裏返したとしても、温度検知素子３により温度低下が認識され、裏の調理が自動的に進行することが可能となる。従って、使用者は裏調理を開始する際にわざわざスイッチを押して続きを行う必要がない。
【００４６】
（実施の形態５）
以下、実施の形態５について、図面１を参照しながら説明する。
【００４７】
尚、図１については本実施の形態の基本構成は実施の形態１と同じであり、実施の形態１と同じ機能には同じ符号を付しその説明は省略する。
【００４８】
以上のように構成された加熱調理器について、以下、ハンバーグの調理を例にその動作を説明する。
【００４９】
使用者により、選択手段１０から自動調理が選択され、ハンバーグのレシピカード１が受信部５にかざされると、制御手段１１にシーケンスが伝えられる。そして使用者が食材が収容された調理容器２をトッププレート６に載置し調理をスタートさせると、調理容器２に内蔵された温度検知素子３の温度情報が発信部４により受信部５に発信され、時間測定手段７の情報と共に制御手段１１に伝えられ、高周波電源部９から加熱コイル８へ出力を制御する。そして、表の調理終了後報知手段１２により、報知が行われた後、使用者により食材が裏返され、裏の調理が進行する。その際、表示部１３により、調理が終了するまでの所要時間が表示され、カウントダウンが行われる。
【００５０】
以上のように、本実施の形態では、表と裏を両方焼く必要がある自動焼き物調理メニューにおいて、表の調理終了後、裏返し操作が行われ、裏の調理が再開された時点から全調理が終了するまでのカウントダウンを行う構成とすることで、使用者は調理終了までの時間を知ることができ、その間の時間を有効に使用することができ、且つ出来上がり後報知してしまう可能性が少なくなる。
【００５１】
（実施の形態６）
以下、実施の形態６について、図面１と５を参照しながら説明する。
【００５２】
なお、図１については本実施の形態の基本構成は実施の形態１と同じであり、実施の形態１と同じ機能には同じ符号を付しその説明は省略する。
【００５３】
図５は本実施の形態におけるハンバーグの自動調理のプロセス図である。この加熱パターンはレシピカード１に組み込まれているシーケンスに、表の調理終了後、裏の調理が始まるまでの間の制限時間を定め、その時間経過後は、自動的に調理を中止する構成としている。
【００５４】
レシピカード１によりメニュー（ハンバーグ）が選択され、選択手段１０により自動調理が選択、開始されると、第一工程の予熱工程、第二工程の表面調理工程後、報知手段１２、表示部１３により使用者に裏返すタイミングが知らされる。しかし、使用者が例えば１５分経過後も裏返しをしない場合は、使用者が完全に調理中であることを忘れたと捉え、自動的に調理を中止する。
【００５５】
以上のように、本実施の形態では、使用者が自動調理中であることを忘れ、例えば出かけてしまった場合でも、一定時間以上経過すれば自動的に調理が中止される為、安全である。また、焦げ過ぎる前に調理が中止されるので、使用者はその後マニュアルで裏の調理を行うことも可能である。
【００５６】
（実施の形態７）
図６は本発明の第７の実施の形態における誘導加熱調理器の模式図である。なお、図６については基本構成は実施の形態１と同じであり、実施の形態１の図１と同じ機能には同じ符号を付しその説明は省略する。１４は表の調理終了後、ひっくり返し裏の調理を開始するまでの待ち時間を延長する延長実行手段、１５は表の調理終了後、裏返し操作が行われ、裏の調理が再開されるまでの制限時間を使用者が設定する設定手段である。
【００５７】
以上のように構成された加熱調理器について、以下その動作を説明する。
【００５８】
使用者が、ハンバーグを調理する際、表の調理終了後、他の調理と終了時間を合わせたい場合、１４の延長実行手段を操作すれば、裏の調理開始時間を自由に設定できる。また、１５の設定手段を用い、使用者が前もって制限時間を設定すれば、使用者の使い方に合わせた自動調理が可能となる。
【００５９】
以上のように、本実施の形態では、使用者は延長実行手段を用いることで、他の調理との出来映えを合わせることができ、裏返しに手間取った際でもその時に自由に裏の調理開始時間を変更することができる。
【００６０】
また、使用者は裏の調理開始までの制限時間を前もって自由に設定しておくことで、仕上がり時間を好きなように変えることが可能となる。
【００６１】
尚、この延長実行手段及び制限時間設定手段は、レシピ選択時から裏の調理が開始されるまでの間はいかなる時でも設定することが可能である。
【産業上の利用可能性】
【００６２】
以上のように、本発明にかかる誘導加熱調理機器は、シーケンスを組み込んだレシピカードと、調理開始から終了までの温度情報を発信する発信部を組み込んだ調理容器を用いて表裏を焼く焼き物の自動調理を行う際に、裏返すタイミングを知らせ、もし使用者がそのタイミングに間に合わない場合でも、待ち時間の間火力を制御することで、焼き物調理も失敗なく、行うことができる。
【００６３】
また、裏の調理が開始するまでの時間を制限したり、使用者にその制限時間を自由に設定してもらうことで、安全性も確保しつつ、使用者が使い勝手に不満を感じることなく使用できる。
【図面の簡単な説明】
【００６４】
【図１】本発明の実施の形態１〜６における誘導加熱調理器の模式図
【図２】本発明の実施の形態２においてハンバーグを行う場合のプロセス図
【図３】本発明の実施の形態３においてハンバーグを行う場合のプロセス図
【図４】本発明の実施の形態４においてハンバーグを行う場合のプロセス図
【図５】本発明の実施の形態６においてハンバーグを行う場合のプロセス図
【図６】本発明の実施の形態７における誘導加熱調理器の模式図
【符号の説明】
【００６５】
１  レシピカード
２  調理容器
３  温度検知素子
４  発信部
５  受信部
６  トッププレート
７  時間測定手段
８  加熱コイル
９  高周波電源部
１０  選択手段
１１  制御手段
１２  報知手段
１３  表示部
【図１】
2007103288.tif 000003
【図２】
2007103288.tif 000004
【図３】
2007103288.tif 000005
【図４】
2007103288.tif 000006
【図５】
2007103288.tif 000007
【図６】
2007103288.tif 000008